(57)【要約】【課題】温度環境に係らず送信信号の電力レベルが目標レベルに到達するまでの所要時間を短縮する。【解決手段】送信部１３からアンテナ２に出力される送信信号の電力レベルをＡＰＣ回路１６で検出し、制御部１２でこの電力レベルが目標値となるように電圧調整回路１９から送信部１３に給電される電圧を可変して、送信部１３の増幅率を調整する。このような無線通信装置において、送信部１３の温度をサーミスタ１７で計測する。制御部１２は、この計測温度に応じて送信部１３に給電される電圧の初期値を不揮発性メモリ２０内の設定テーブルを参照して決定する。【選択図】      図１
2010074667.tif 000002
【特許請求の範囲】
【請求項１】
ローカル信号を変調し、増幅して得た送信信号をアンテナに出力する送信部と、この送信部から前記アンテナに出力される送信信号の電力レベルを検出し、この電力レベルが目標値となるように前記送信部に給電される電圧を可変して前記送信部の増幅率を調整する出力調整手段とを備えた無線通信装置において、
前記送信部の温度を計測する温度計測手段と、
この温度計測手段により計測される温度に応じて前記送信部に給電される電圧の初期値を決定する電圧初期値決定手段と、
を具備したことを特徴とする無線通信装置。
【請求項２】
前記電圧初期値決定手段は、通信開始指令の受付時に前記温度計測手段により計測される温度を取得し、この取得した温度に応じて前記送信部に給電される電圧の初期値を決定することを特徴とする請求項１記載の無線通信装置。
【請求項３】
前記電圧初期値決定手段は、装置の電源投入時に前記温度計測手段により計測される温度を取得し、この取得した温度に応じて前記送信部に給電される電圧の初期値を決定することを特徴とする請求項１記載の無線通信装置。
【請求項４】
複数段階の温度データにそれぞれ対応付けて、前記送信部の温度が対応するデータの値であるときに前記送信信号の電力レベルとして目標値が得られるときの前記送信部への給電電圧データを予め記憶する記憶手段、をさらに具備し、
前記電圧初期値決定手段は、前記温度計測手段により計測される温度で前記記憶手段を検索して、当該温度に対応する給電電圧データを前記送信部に給電される電圧の初期値とすることを特徴とする請求項１乃至３のうちいずれか１項に記載の無線通信装置。
【発明の詳細な説明】
【技術分野】
【０００１】
本発明は、ＡＰＣ（Automatic Power Control）機能を備えた無線通信装置に関する。
【背景技術】
【０００２】
従来、入力信号でローカル信号を変調し、さらに増幅器で増幅して得た送信信号をアンテナに供給する送信回路と、この送信回路からアンテナに出力される送信信号の電力レベルを目標値に制御するＡＰＣ回路とを備えた無線通信装置において、送信回路の温度を計測し、この計測温度に応じて前記目標値を補正することにより、温度変化に対する回路部品のばらつきを補正して、送信回路からの出力電力を一定に制御するようにした技術は、既に知られている（例えば、特許文献１参照）。
【特許文献１】実開平５−９０１８号公報
【発明の開示】
【発明が解決しようとする課題】
【０００３】
しかしながら、目標値の温度補正機能を備えた従来の無線通信装置においても、まだ次の点で解決しなければならない技術的課題があった。すなわち、ＡＰＣ回路を用いた無線通信装置であれば、時間の経過とともに送信信号の電力レベルを目標値に近づけることができる。ただし、目標値に到達するまでに要する時間にばらつきがある。このばらつきは、送信回路の温度特性に起因している。
【０００４】
例えば、送信回路の温度特性が次のとおりであるとする。すなわち、温度が０度のとき、送信回路に１００ｍＶ（ミリボルト）を給電すると出力電力が目標値となり、温度が２０度のとき、送信回路に２００ｍＶを給電すると出力電力が目標値となり、温度が４０度のとき、送信回路に３８０ｍＶを給電すると出力電力が目標値となるものとする。これは、送信回路が、温度が低いときには小さい電圧で目標の出力電力を得られるが、温度が高くなるにつれて電圧を高めなければならない特性を有していることを意味している。送信回路を構成する回路部品によっては、この逆の特性を有する場合もある。
【０００５】
従来の無線通信装置においては、送信回路の温度特性に係らず、送信開始時に送信回路に給電される初期電圧を固定としていた。このため、送信開始時の送信回路の温度が、当該初期電圧を給電したときに出力電力が目標値となるときの温度に近ければ、比較的短時間で目標値に到達できるが、温度がかけ離れていた場合には、目標値に到達するまでに長時間を要する。その結果、通信効率が低下していた。
【０００６】
本発明はこのような事情に基づいてなされたもので、その目的とするところは、温度環境に係らず送信信号の電力レベルが目標レベルに到達するまでの所要時間を短縮することで、通信効率の向上を図り得る無線通信装置を提供しようとするものである。
【課題を解決するための手段】
【０００７】
本発明は、ローカル信号を変調し、増幅して得た送信信号をアンテナに出力する送信部と、この送信部からアンテナに出力される送信信号の電力レベルを検出し、この電力レベルが目標値となるように送信部に給電される電圧を可変して送信部の増幅率を調整する出力調整手段とを備えた無線通信装置において、送信部の温度を計測する温度計測手段と、この温度計測手段により計測される温度に応じて送信部に給電される電圧の初期値を決定する電圧初期値決定手段とを備えたものである。
【発明の効果】
【０００８】
かかる手段を講じた本発明によれば、温度環境に係らず送信信号の電力レベルが目標レベルに到達するまでの所要時間を短縮することができ、通信効率の向上を図ることができる効果を奏する。
【発明を実施するための最良の形態】
【０００９】
以下、本発明を実施するための最良の形態について、図面を用いて説明する。  
なお、この実施の形態は、無線タグ、ＲＦタグ、応答器、非接触通信カード、ＲＦカード等と称されるＲＦＩＤ対応の記憶媒体（以下、データキャリアと称する）と無線通信を行って、当該データキャリアにデータを書き込んだり、当該データキャリアのデータを読み取ったりできるリーダ・ライタに、本発明を適用した場合である。
【００１０】
（第１の実施の形態）
本実施の形態におけるリーダ・ライタの要部構成を、図１のブロック図にて示す。本発明の無線通信装置の一態様であるリーダ・ライタは、送受信制御装置１と、この送受信制御装置１に接続されたアンテナ２とから構成している。送受信制御装置１は、インターフェイス部１１、制御部１２、送信部１３、受信部１４、サーキュレータ１５、ＡＰＣ（Automatic Power Control）回路１６、サーミスタ１７、Ａ／Ｄ（Analog/Digital）コンバータ１８、電圧調整回路１９、不揮発性メモリ２０等を備えている。
【００１１】
インターフェイス部１１は、外部のホスト機器と制御部１２との間のデータ通信を司る。  
送信部１３は、制御部１２の制御によりデータキャリアへの送信信号を生成し、アンテナ２に出力する。送信部１３は、発振器１３１、変調器１３２及び増幅器１３３を有する。発振器１３１は、搬送波であるローカル信号を変調器１３２に出力する。変調器１３２は、制御部１２からの入力信号でローカル信号を変調する。増幅器１３３は、変調器１３２で変調された変調信号を増幅する。この増幅器１３３によって増幅された変調信号が送信信号として出力され、サーキュレータ１５を介してアンテナ２に供給される。
【００１２】
サーキュレータ１５は、方向性結合器とも称され、送信部１３からの送信信号をアンテナ２に出力し、アンテナ２で受信した電波信号を受信部１４に出力する。  
受信部１４は、データキャリアからのデータ信号を、アンテナ２を介して受信し、制御部１２に出力する。受信部１４は、復調器１４１と増幅器１４２とを有する。復調器１４１は、アンテナ２からの電波信号から受信データ信号を復調する。増幅器１４２は、復調器１４１で復調された受信データ信号を増幅する。この増幅器１４２によって増幅された受信データ信号は、制御部１２に出力される。
【００１３】
ＡＰＣ回路１６は、送信部１３からアンテナ２に出力される送信信号の電力レベルを検出する。そして、この電力レベルを電圧値（ｍＶ）に変換して、制御部１２に与える。  
サーミスタ１７は、送受信制御装置１の内部温度を計測するもので、送信部１３の近傍に設けられている。ここに、サーミスタ１７は、送信部１３の温度を計測する温度計測手段として機能する。サーミスタ１７は、温度信号をＡ／Ｄコンバータ１８に供給する。Ａ／Ｄコンバータ１８は、アナログ信号であるサーミスタ１７からの温度信号をディジタル信号に変換し、制御部１２に与える。
【００１４】
電圧調整回路１９は、制御部１２の制御により、送信部１３内の増幅器１３３に給電される電圧を可変調整する。増幅器１３３は、電圧調整回路１９を介して給電される電圧により増幅率を可変する。増幅器１３３の増幅率が変化すると、送信信号の電力レベルが変動する。
【００１５】
不揮発性メモリ２０は、フラッシュメモリ等の書換可能なプログラマブルＲＯＭ（Read Only Memory）である。当該リーダ・ライタは、上記不揮発性メモリ２０に設定テーブル３０を記憶している。設定テーブル３０のデータ構造を図２に示す。図示するように、設定テーブル３０は、０℃〜４５℃までの温度領域を５℃間隔で１０段階に区分した計測温度Ｔ（℃）にそれぞれ対応付けて、送信部初期電圧Ｍ（ｍＶ）とＡＰＣ目標値Ｎ（ｍＶ）とを予め記憶したもので、記憶手段を構成する。
【００１６】
設定テーブル３０は、当該リーダ・ライタを製品として出荷する前の最終テストの段階で作成し、不揮発性メモリ２０に保存する。テストは、担当者により以下の手順で実行される。
【００１７】
先ず、担当者はテスト対象のリーダ・ライタを専用の計測治具に接続する。この治具は、当該リーダ・ライタの送信部１３の温度と、送信部１３からアンテナ２に出力される電力と、ＡＰＣ回路１６から制御部１２に与えられる出力電圧と、電圧調整回路１９から増幅器１３３に給電される電圧とを正確に測定するものである。
【００１８】
次に、担当者は当該リーダ・ライタが置かれている温度環境を調整して、送信部１３の温度を、設定テーブル３０に設定される計測温度Ｔの最低温度０℃にする。送信部１３の温度が０℃になったならば、担当者は、送信部１３からアンテナ２に出力される電力が目標値、例えば１００ｍＷに達するまで、電圧調整回路１９から増幅器１３３に給電される電圧を増加または減少させる。送信部１３からの出力電力が目標値に達したならば、担当者は、目標値到達時点の電圧調整回路１９からの給電電圧を、計測温度Ｔ＝０℃に対する送信部初期電圧Ｍ０として設定テーブル３０に記録する。また、目標値到達時点のＡＰＣ回路１６からの出力電圧を、計測温度Ｔ＝０℃に対するＡＰＣ目標値Ｎ０として設定テーブル３０に記録する。
【００１９】
次に、担当者は、当該リーダ・ライタの温度環境を調整して、送信部１３の温度を次段の計測温度５℃に上昇させる。送信部１３の温度が５℃になったならば、担当者は、再び送信部１３からアンテナ２に出力される電力が目標値に達するまで、電圧調整回路１９から増幅器１３３に給電される電圧を増加または減少させる。送信部１３からの出力電力が目標値に達したならば、担当者は、目標値到達時点の電圧調整回路１９からの給電電圧を、計測温度Ｔ＝５℃に対する送信部初期電圧Ｍ５として設定テーブル３０に記録する。また、目標値到達時点のＡＰＣ回路１６からの出力電圧を、計測温度Ｔ＝５℃に対するＡＰＣ目標値Ｎ５として設定テーブル３０に記録する。
【００２０】
以後、送信部１３の温度を５℃ずつ上昇させる毎に同様の計測を行い、その計測値（電圧調整回路１９からの給電電圧、ＡＰＣ回路１６からの出力電圧）を取得して、当該計測温度Ｔに対する送信部初期電圧Ｍ、及びＡＰＣ目標値Ｎとして設定テーブル３０に記録する処理を繰り返す。こうして、計測温度Ｔの最高温度４５℃に対して同様な処理を行ったならば、当該リーダ・ライタの送信部１３の温度特性に適合した設定テーブル３０が作成されるので、担当者は、ホスト機器を介してこの設定テーブル３０を当該リーダ・ライタの不揮発性メモリ２０に保存する。
【００２１】
制御部１２は、ＣＰＵ、ＲＯＭ、ＲＡＭ等を主体に構成している。そのＲＡＭ領域には、図３に示すように、送信部初期電圧Ａ及びＡＰＣ目標値Ｂをそれぞれ書換可能に記憶するワークエリアを形成している。
【００２２】
制御部１２は、ＲＯＭに記憶されたプログラムに従って、図４の流れ図に示す制御手順でデータキャリアに対するリード・ライト処理を実行する。この処理は、図示しない電源スイッチの投入により当該リーダ・ライタの電源がオンされると開始する。
【００２３】
先ず、制御部１２は、ＳＴ（ステップ）１として予め設定された基準温度t0に対応する送信部初期電圧Ｍt0及びＡＰＣ目標値Ｎt0を設定テーブル３０から取得する。基準温度t0は、設定テーブル３０に設定された計測温度Ｔのうち所望の値、例えばt0＝２０℃が不揮発性メモリ２０上に予め設定されている。
【００２４】
基準温度t0の送信部初期電圧Ｍt0及びＡＰＣ目標値Ｎt0を設定テーブル３０から取得したならば、制御部１２は、ＳＴ２として取得した送信部初期電圧Ｍt0をワークエリアの送信部初期電圧Ａエリアにセットする。また、同じく取得したＡＰＣ目標値Ｎt0をワークエリアのＡＰＣ目標値Ｂエリアにセットする。
【００２５】
この状態で、制御部１２は、ＳＴ３としてデータキャリアとの通信開始が指令されるのを待機する。ホスト機器からデータキャリアに対するリードコマンドまたはライトコマンドを受信すると、制御部１２は、データキャリアとの通信開始が指令されたと判断する。そして、制御部１２は、ＳＴ４としてサーミスタ１７によって検出されている送受信制御装置１の内部温度ｔをディジタルデータとして取得する。
【００２６】
内部温度ｔを取得したならば、制御部１２は、ＳＴ５として設定テーブル３０に設定されている計測温度Ｔのなかで内部温度ｔが最も近い計測温度Ｔtを選出する。このとき、内部温度ｔが２つの隣り合う計測温度Ｔt1，Ｔt2（Ｔt1＜Ｔt2）の中間である場合には低い方の計測温度Ｔt1を選出する。このとき、高い方の計測温度Ｔt2を選出してもよい。
【００２７】
計測温度Ｔtを選出したならば、制御部１２は、ＳＴ６としてこの計測温度Ｔtが前記基準温度t0と等しいか否かを判断する。等しい場合には、次のＳＴ７〜ＳＴ９の処理を省略する。
【００２８】
これに対し、等しくない場合には、制御部１２は、ＳＴ７として計測温度Ｔtに対応する送信部初期電圧Ｍt及びＡＰＣ目標値Ｎtを設定テーブル３０から取得する。送信部初期電圧Ｍt及びＡＰＣ目標値Ｎtを取得したならば、制御部１２は、ＳＴ８として送信部初期電圧Ｍtの補正値ΔＭとＡＰＣ目標値Ｎtの補正値ΔＮとを、次式（１），（２）により算出する。なお、（１）式において、Ｍt0は、ワークエリアの送信部初期電圧Ａエリアに記憶されている。（２）式において、Ｎt0は、ワークエリアのＡＰＣ目標値Ｂエリアに記憶されている。
【００２９】
ΔＭ＝Ｍt−Ｍt0    …（１）
ΔＮ＝Ｎt−Ｎt0    …（２）
補正値ΔＭ，ΔＮを算出したならば、制御部１２は、ＳＴ９としてワークエリアの送信部初期電圧Ａエリアに上記送信部初期電圧Ｍtの補正値ΔＭを加算する（電圧初期値決定手段）。また、ワークエリアのＡＰＣ目標値ＢエリアにＡＰＣ目標値Ｎtの補正値ΔＮを加算する。
【００３０】
ＳＴ９にて送信部初期電圧ＡとＡＰＣ目標値Ｂとを補正した後、あるいはＳＴ６にて計測温度Ｔtが基準温度t0と等しいと判断された後、制御部１２は、ＳＴ１０として電圧調整回路１９から送信部１３の増幅器１３３に給電される電圧が上記送信部初期電圧Ａエリアの値となるように、電圧調整回路１９に電圧調整データＡを出力する。そして、ＳＴ１１としてＡＰＣ回路１６から与えられる出力電圧値Ｘ（ｍＶ）を取得する。この電圧値Ｘ（ｍＶ）は、送信部１３からアンテナ２に出力される送信信号の電力レベルを、ＡＰＣ回路１６によって電圧値に変換したものである。
【００３１】
制御部１２は、ＳＴ１２として出力電圧値Ｘ（ｍＶ）が、ＡＰＣ目標値Ｂエリアに記憶されているＡＰＣ目標値Ｂと一致するか否かを判断する。一致しない場合には、ＳＴ１３として電圧調整回路１９への電圧調整データＡを所定値ｄ（ｍＶ）だけ増減する。すなわち、出力電圧値ＸがＡＰＣ目標値Ｂより低いときには所定値ｄ（ｍＶ）だけ増加させ、高いときには所定値ｄ（ｍＶ）だけ減少させる。そして、ＳＴ１１に戻り、ＡＰＣ回路１６からの出力電圧値Ｘ（ｍＶ）を再度取得し、ＡＰＣ目標値Ｂと一致するか否かを判断して、一致しなければ電圧調整データＡをさらに所定値ｄ（ｍＶ）だけ増減する。
【００３２】
出力電圧値Ｘ（ｍＶ）がＡＰＣ目標値Ｂと一致するまで、ＳＴ１１，ＳＴ１２，ＳＴ１３の処理ループを繰り返す。そして、一致したならば、制御部１２は、ＳＴ１４としてデータキャリアに対するリード・ライト処理を実行する。
【００３３】
今、設定テーブル３０に、図２に示す値が設定されていたとする。この値は、送信部１３を構成する回路部品が、周囲の温度が低いときには小さい電圧で目標の出力電力を得られるが、温度が上昇するにつれて電圧を高めなければならない特性を有していることを意味している。また、ＡＰＣ回路１６を構成する回路部品が、同一の電力レベルを検出した場合でも、周囲の温度が上昇するにつれて出力電圧が低下することを意味している。
【００３４】
リーダ・ライタの電源をオンすると、送受信制御装置１では、先ず、基準温度t0に対応する送信部初期電圧Ｍt0及びＡＰＣ目標値Ｎt0が、ワークエリアの送信部初期電圧Ａエリア及びＡＰＣ目標値Ｂエリアにセットされる。例えば、基準温度t0を２０℃とすると、送信部初期電圧Ａエリアには送信部初期電圧Ｍt0として２００（ｍＶ）がセットされ、ＡＰＣ目標値ＢエリアにはＡＰＣ目標値Ｎt0として８０（ｍＶ）がセットされる。
【００３５】
次いで、ホスト機器から送受信制御装置１にリードコマンドまたはライトコマンドが与えられると、送受信制御装置１では、サーミスタ１７によって計測されている内部温度ｔが検出される。例えば、内部温度ｔが１１℃であったとする。この場合、送受信制御装置１では、内部温度ｔに最も近い計測温度Ｔとして１０℃が選出される。そして、設定テーブル３０から計測温度１０℃に対応する送信部初期電圧１３０（ｍＶ）及びＡＰＣ目標値９０（ｍＶ）が抽出され、送信部初期電圧Ａエリアの送信部初期電圧とＡＰＣ目標値ＢエリアのＡＰＣ目標値とが補正される。すなわち、送信部初期電圧として１３０（ｍＶ）が決定され、ＡＰＣ目標値として９０（ｍＶ）が決定される。
【００３６】
しかる後、送受信制御装置１では、制御部１２の制御により電圧調整回路１９から送信部１３の増幅器１３３に初期電圧１３０（ｍＶ）が給電される。そして、送信部１３からアンテナ２に出力される送信信号の電力レベルがＡＰＣ回路１６によって検出され、出力電圧値Ｘ（ｍＶ）に変換されて制御部１２に与えられる。制御部１２では、出力電圧値Ｘ（ｍＶ）とＡＰＣ目標値９０（ｍＶ）とが比較され、その偏差に応じて電圧調整回路１９から増幅器１３３に給電される電圧が調整される。その結果、出力電圧値Ｘ（ｍＶ）がＡＰＣ目標値９０（ｍＶ）と一致したならば、データキャリアに対するリード・ライト処理が実行される。
【００３７】
このように、本実施の形態では、データキャリアとの通信開始時に、送受信制御装置１における内部温度ｔを測定し、この内部温度ｔに基づいて送信部初期電圧を決定している。このとき決定される送信部初期電圧は、送信部１３の温度が内部温度ｔに近いときに送信部１３からの送信信号の電力レベルが目標値となるときの電圧値であり、設定テーブル３０に予め設定されている。したがって、通信開始時の当初から送信信号の電力レベルは目標値そのもの若しくは目標値に極めて近い値となるので、通信開始時の内部温度ｔが設定テーブル３０に段階的に設定されている計測温度の範囲内において、送信部１３の温度特性に係らず電力レベルが目標値に到達するまでの所要時間を確実に短縮することができる。その結果、リードコマンドまたはライトコマンドの受信からリード・ライト処理が実行されるまでに要する時間が短縮されるので、通信効率の向上を図ることができる。
【００３８】
また、本実施の形態では、データキャリアとの通信開始時に、送受信制御装置１における内部温度ｔを測定し、この内部温度ｔに基づいてＡＰＣ目標値も決定している。このとき決定されるＡＰＣ目標値は、送信部１３の温度が内部温度ｔに近い状態で送信部１３からの送信信号の電力レベルが目標値となったときのＡＰＣ回路１６からの出力電圧値であり、設定テーブル３０に予め設定されている。したがって、通信開始時の内部温度ｔが設定テーブル３０に段階的に設定されている計測温度の範囲内において、ＡＰＣ回路１６の温度特性に係らず送信信号の電力レベルが目標値となったか否かの判定を精度よく行うことができる。その結果、リーダ・ライタとしての信頼性をより一層高めることができる。
【００３９】
ところで、本実施の形態では、リード・ライト処理の実行中においても、制御部１２は、サーミスタ１７によって検出されている内部温度ｔを随時取得し、その都度、内部温度ｔが最も近い計測温度Ｔtを決定する。そして、前回判定時から計測温度Ｔtが変化したならば、制御部１２は、変化後の計測温度Ｔtに対応するＡＰＣ目標値Ｎtを設定テーブル３０から取得し、ＡＰＣ目標値Ｂがこの値Ｎtとなるように、ＡＰＣ目標値Ｂエリアの値を補正するようにしている（出力調整手段）。
【００４０】
通常、リード・ライト処理を実行すると、送受信制御装置１の内部温度ｔは、各回路構成部品からの放熱等によって上昇する。本実施の形態では、内部温度ｔの上昇に伴ない、ＡＰＣ目標値Ｂを最適値に補正することで、送信部１３からアンテナ２に出力される送信信号の電力レベルを常に一定となるように制御している。したがって、送受信制御装置１の内部温度の変化に関わらず、データキャリアとの間で常に安定したデータ通信を行うことができる。
【００４１】
（第２の実施の形態）
本実施の形態が第１の実施の形態と異なる点は、制御部１２が実行するリーダ・ライタ処理の一部であり、その処理手順を図５の流れ図に示す。
【００４２】
すなわち本実施の形態では、リーダ・ライタの電源がオンされると、制御部１２は、ＳＴ２１としてデータキャリアとの通信開始が指令されるのを待機する。ホスト機器からデータキャリアに対するリードコマンドまたはライトコマンドを受信すると、制御部１２は、データキャリアとの通信開始が指令されたと判断する。そして、制御部１２は、ＳＴ２２としてサーミスタ１７によって検出されている送受信制御装置１の内部温度ｔをディジタルデータとして取得する。
【００４３】
内部温度ｔを取得したならば、制御部１２は、ＳＴ２３として設定テーブル３０に設定されている計測温度Ｔのなかで内部温度ｔが最も近い計測温度Ｔtを選出する。このとき、内部温度ｔが２つの隣り合う計測温度Ｔt1，Ｔt2（Ｔt1＜Ｔt2）の中間である場合には低い方の計測温度Ｔt1を選出する。このとき、高い方の計測温度Ｔt2を選出してもよい。
【００４４】
計測温度Ｔtを選出したならば、制御部１２は、ＳＴ２４として計測温度Ｔtに対応する送信部初期電圧Ｍt及びＡＰＣ目標値Ｎtを設定テーブル３０から取得する。送信部初期電圧Ｍt及びＡＰＣ目標値Ｎtを取得したならば、制御部１２は、ＳＴ２５として取得した送信部初期電圧Ｍtをワークエリアの送信部初期電圧Ａエリアにセットする。また、同じく取得したＡＰＣ目標値ＮtをワークエリアのＡＰＣ目標値Ｂエリアにセットする。
【００４５】
しかる後、制御部１２は、ＳＴ２５〜ＳＴ３０として、第１の実施の形態のＳＴ１０〜ＳＴ１４の処理と同一の処理を実行する。
【００４６】
かかる構成の第２の実施の形態においても、データキャリアとの通信開始時に、送受信制御装置１における内部温度ｔを測定し、この内部温度ｔに基づいて最適な送信部初期電圧とＡＰＣ補正値とを決定しているので、第１の実施の形態と同様な効果を奏し得る。しかも、第１の実施の形態と比較して、送信部初期電圧及びＡＰＣ目標値として基準温度t0に対応した値をデフォルトとして設定する処理（ＳＴ１、ＳＴ２）を省略でき、それに関連して、計測温度Ｔtが基準温度t0と一致するか否かの判定処理（ＳＴ６）も省略できるので、制御部１２の処理ステップ数を低減できる。その結果、通信効率を高めることができる。
【００４７】
（第３の実施の形態）
本実施の形態が第１及び第２の実施の形態と異なる点も、制御部１２が実行するリーダ・ライタ処理の一部であり、その処理手順を図６の流れ図に示す。
【００４８】
すなわち本実施の形態では、リーダ・ライタの電源がオンされると、制御部１２は、ＳＴ３１としてサーミスタ１７によって検出されている送受信制御装置１の内部温度ｔをディジタルデータとして取得する。内部温度ｔを取得したならば、制御部１２は、ＳＴ３２として設定テーブル３０に設定されている計測温度Ｔのなかで内部温度ｔが最も近い計測温度Ｔtを選出する。このとき、内部温度ｔが２つの隣り合う計測温度Ｔt1，Ｔt2（Ｔt1＜Ｔt2）の中間である場合には低い方の計測温度Ｔt1を選出する。このとき、高い方の計測温度Ｔt2を選出してもよい。
【００４９】
計測温度Ｔtを選出したならば、制御部１２は、ＳＴ３３として計測温度Ｔtに対応する送信部初期電圧Ｍt及びＡＰＣ目標値Ｎtを設定テーブル３０から取得する。送信部初期電圧Ｍt及びＡＰＣ目標値Ｎtを取得したならば、制御部１２は、ＳＴ３４として取得した送信部初期電圧Ｍtをワークエリアの送信部初期電圧Ａエリアにセットする。また、同じく取得したＡＰＣ目標値ＮtをワークエリアのＡＰＣ目標値Ｂエリアにセットする。
【００５０】
しかる後、制御部１２は、ＳＴ３５としてデータキャリアとの通信開始が指令されるのを待機する。ホスト機器からデータキャリアに対するリードコマンドまたはライトコマンドを受信すると、制御部１２は、データキャリアとの通信開始が指令されたと判断する。そして制御部１２は、ＳＴ３６〜ＳＴ４０として、第１の実施の形態のＳＴ１０〜ＳＴ１４の処理と同一の処理を実行する。
【００５１】
かかる構成の第３の実施の形態においては、リーダ・ライタの電源オン時に、送受信制御装置１における内部温度ｔを測定し、この内部温度ｔに基づいて最適な送信部初期電圧とＡＰＣ補正値とを決定している。したがって、電源オンから送信開始までの間隔が短い使用環境下にあっては、第１及び第２の実施の形態と同様な効果を奏し得る。すなわち、送受信制御装置１の内部温度の変化に関わらず、データキャリアとの間で常に安定したデータ通信を行うことができる。また、通信効率を高めることができる。
【００５２】
なお、この発明は前記各実施形態そのままに限定されるものではなく、実施段階ではその要旨を逸脱しない範囲で構成要素を変形して具体化できる。
【００５３】
例えば、前記実施の形態では、記憶手段の一例である設定テーブル３０に設定される計測温度Ｔの間隔を５℃としたが、間隔は５℃に限定されるものでは無い。また、計測温度Ｔの領域も、０℃〜４５℃に限定されるものではない。これらの温度設定値は、リーダ・ライタの使用環境下に応じて適宜設定できるものである。
【００５４】
また、本発明は、データキャリアと非接触で無線通信を行うリーダ・ライタに限定されるものではなく、ＡＰＣ回路を備えて通信対象と無線通信を行う無線通信装置全般に適用できるものである。
【００５５】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５６】
【図１】本発明の実施の形態であるリーダ・ライタの要部構成を示すブロック図。
【図２】同リーダ・ライタの不揮発性メモリに記憶される設定テーブルのデータ構造例を示す図。
【図３】同リーダ・ライタの制御部が有する主要なワークエリアを示す図。
【図４】同リーダ・ライタの制御部が実行するリード・ライト処理の第１の実施の形態を示す流れ図。
【図５】同リーダ・ライタの制御部が実行するリード・ライト処理の第２の実施の形態を示す流れ図。
【図６】同リーダ・ライタの制御部が実行するリード・ライト処理の第３の実施の形態を示す流れ図。
【符号の説明】
【００５７】
１…送受信制御装置、２…アンテナ、１１…インターフェイス部、１２…制御部、１３…送信部、１４…受信部、１５…サーキュレータ、１６…ＡＰＣ回路、１７…サーミスタ、１８…Ａ／Ｄコンバータ、１９…電圧調整回路、２０…不揮発性メモリ、３０…設定テーブル。
【図１】
2010074667.tif 000003
【図２】
2010074667.tif 000004
【図３】
2010074667.tif 000005
【図４】
2010074667.tif 000006
【図５】
2010074667.tif 000007
【図６】
2010074667.tif 000008